(57)【特許請求の範囲】
【請求項１】
水を加熱する加熱手段と、
前記加熱手段で加熱された湯を貯留する貯湯タンクと、
浴槽の湯はり時に浴槽栓の開閉状態を判定する機能と、過去の使用湯量を学習する機能と、使用湯量の学習値に基づいて前記貯湯タンクの蓄熱量を制御する機能とを有する制御手段と、
を備え、
前記制御手段は、前記湯はり時に前記浴槽栓が開であると判定した場合には、使用湯量の学習において当該湯はりを無効にし、
前記制御手段は、前記湯はり時に前記浴槽栓が開であると仮判定した後、湯はりが再び開始された後に、前回の湯はり時に前記浴槽栓が開であるとの判定を確定する貯湯式給湯機。
【請求項２】
前記制御手段は、前記湯はり時に前記浴槽栓が開であると判定した場合には、当日に前記加熱手段が生成する熱量を増加させる請求項１に記載の貯湯式給湯機。
【請求項３】
前記制御手段は、前記湯はり時に前記浴槽栓が開であると判定した場合には、前記貯湯タンクに蓄熱する蓄熱運転を開始する請求項１に記載の貯湯式給湯機。
【請求項４】
前記湯はり時に前記浴槽栓が開であると判定された場合に、前記貯湯タンクに蓄熱する蓄熱運転を追加的に実施することを報知する報知手段を備える請求項１から請求項３のいずれか一項に記載の貯湯式給湯機。
【発明の詳細な説明】
【技術分野】
【０００１】
本発明は、貯湯式給湯機に関する。
【背景技術】
【０００２】
ヒートポンプ等の加熱手段により加熱された湯を貯湯タンクに貯え、貯湯タンクから取り出した湯を用いて、浴槽、シャワー、台所及び洗面所の蛇口などの給湯先に給湯する貯湯式給湯機が広く用いられている。
【０００３】
特許文献１には、予め浴槽の底面から循環金具までの高さｈを記憶し、浴槽に所定水位となるように湯を供給してその湯量から浴槽の底面積Ｓを演算し、底面積Ｓと高さｈとから、浴槽に循環金具よりも若干上側まで湯を供給したときの湯量Ｑを演算して記憶しておき、以後、浴槽に湯量Ｑの湯を供給したときに循環金具を介して循環路を湯が循環しなければ浴槽栓の閉め忘れであると判断する技術が開示されている。
【先行技術文献】
【特許文献】
【０００４】
【特許文献１】特開平５−８７４０９号公報
【発明の概要】
【発明が解決しようとする課題】
【０００５】
使用湯量の学習値に基づいて貯湯タンクの蓄熱量を制御する貯湯式給湯機がある。浴槽栓が開いた状態で湯はりが行われた後、湯はりをやり直した場合、使用湯量が通常よりも大きく増加する。そのような過大な使用湯量を学習すると、翌日以降の貯湯タンクの蓄熱量が必要以上に大きく制御されてしまうことで、省エネルギー性が低下する懸念がある。
【０００６】
本発明は、上述のような課題を解決するためになされたもので、湯はり時に浴槽栓が開いていた場合でも、翌日以降の省エネルギー性の低下を抑制できる貯湯式給湯機を提供することを目的とする。
【課題を解決するための手段】
【０００７】
本発明に係る貯湯式給湯機は、水を加熱する加熱手段と、加熱手段で加熱された湯を貯留する貯湯タンクと、浴槽の湯はり時に浴槽栓の開閉状態を判定する機能と、過去の使用湯量を学習する機能と、使用湯量の学習値に基づいて貯湯タンクの蓄熱量を制御する機能とを有する制御手段と、を備え、制御手段は、湯はり時に浴槽栓が開であると判定した場合には、使用湯量の学習において当該湯はりを無効にし、制御手段は、湯はり時に浴槽栓が開であると仮判定した後、湯はりが再び開始された後に、前回の湯はり時に浴槽栓が開であるとの判定を確定するものである。
【発明の効果】
【０００８】
本発明の貯湯式給湯機によれば、湯はり時に浴槽栓が開いていた場合でも、翌日以降の省エネルギー性の低下を抑制することが可能となる。
【図面の簡単な説明】
【０００９】
【図１】本発明の実施の形態１の貯湯式給湯機を示す構成図である。
【図２】湯はり時に浴槽栓の閉め忘れがない（すなわち浴槽栓が閉である）場合の使用湯量及び蓄熱運転開始湯量の時間的な変化を模式的に示すグラフである。
【図３】湯はり時に浴槽栓の閉め忘れがあり（すなわち浴槽栓が開であり）、その直後に湯はりが再び行われた場合の使用湯量及び蓄熱運転開始湯量の時間的な変化を模式的に示すグラフである。
【図４】本発明の実施の形態１の貯湯式給湯機において湯はりを行うときに制御部が実行する制御動作を示すフローチャートである。
【図５】本発明の実施の形態２の貯湯式給湯機において湯はりを行うときに制御部が実行する制御動作を示すフローチャートである。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す構成図である。図１に示すように、本実施の形態１の貯湯式給湯機３５は、貯湯タンク８を内蔵するタンクユニット３３と、ヒートポンプサイクルを利用するＨＰユニット７と、使用者の運転動作指令及び設定値の変更などの操作を受け付けるリモコン装置４４とを備える。ＨＰユニット７とタンクユニット３３との間は、ＨＰ往き配管１４、ＨＰ戻り配管１５、及び電気配線（図示省略）を介して接続される。タンクユニット３３には、制御部３６（制御手段）が内蔵されている。タンクユニット３３及びＨＰユニット７が備える各種弁類、ポンプ類等の作動は、これらと電気的に接続された制御部３６により制御される。制御部３６とリモコン装置４４とは、相互に通信可能に接続されている。リモコン装置４４には、図示を省略するが、貯湯式給湯機３５の状態等の情報を表示する表示部、使用者が操作するスイッチ等の操作部、スピーカ、マイク等が搭載されている。
【００１２】
ＨＰユニット７は、タンクユニット３３から導かれた水を加熱する加熱手段の機能を有する。ＨＰユニット７は、圧縮機１、水冷媒熱交換器３、膨張弁４、及び空気熱交換器６を冷媒配管５にて環状に接続した冷媒回路を有し、ヒートポンプサイクルの運転を行う。水冷媒熱交換器３は、圧縮機１で圧縮された高温高圧の冷媒と水とを熱交換することで水を加熱する。
【００１３】
タンクユニット３３には、以下の各種部品及び配管などが内蔵されている。貯湯タンク８は、湯水を貯留する。貯湯タンク８の下部に設けられた水導入口８ａには、第三給水配管９ｃが接続されている。水道等の水源から供給される水（低温水）は、減圧弁３１で所定圧力に調圧された上で、第三給水配管９ｃを通って貯湯タンク８内に流入する。貯湯タンク８の上部に設けられた温水導入出口８ｄには、給湯配管２１及び送湯配管１３が接続されている。ＨＰユニット７で加熱された高温の湯は、送湯配管１３を通り、温水導入出口８ｄから貯湯タンク８内に流入する。貯湯タンク８内には、上側が高温で下側が低温になる温度成層を形成して湯水が貯留される。貯湯タンク８の表面には、複数の貯湯温度センサ４２，４３が、異なる高さの位置に取り付けられている。これらの貯湯温度センサ４２，４３で貯湯タンク８内の湯水の温度分布を検知できる。制御部３６は、その温度分布に基づいて、貯湯タンク８内の残湯量及び蓄熱量を把握できる。図示の構成では、貯湯温度センサの個数が２個であるが、３個以上の貯湯温度センサを設けても良い。
【００１４】
タンクユニット３３には、水ポンプ１２及び利用側熱交換器２０が内蔵されている。水ポンプ１２は、ＨＰ往き配管１４上に設けられている。利用側熱交換器２０は、貯湯タンク８またはＨＰユニット７から供給される湯の熱を利用して、２次側の加熱対象水（例えば、浴槽水、暖房用水など）を加熱する熱交換器である。本実施の形態１では、利用側熱交換器２０の２次側の構成として、浴槽３０に溜められた浴槽水を循環させるふろ往き配管２７及びふろ戻り配管２８を例示して説明する。利用側熱交換器２０は、ふろ往き配管２７及びふろ戻り配管２８を介して浴槽３０と接続される。利用側熱交換器２０、ふろ往き配管２７、ふろ戻り配管２８、及び浴槽３０により、ふろ循環回路が形成される。ふろ循環回路には、浴槽水を循環させるふろ循環ポンプ２９と、浴槽３０から出た浴槽水の温度を検知するふろ戻り温度センサ３８と、利用側熱交換器２０から出た浴槽水の温度を検知するふろ往き温度センサ３７と、浴槽水の循環（水流）の有無を検知する水流検知手段４５とが設置されている。図示を省略するが、浴槽３０には、浴槽水を排水するための浴槽栓（排水栓）が設けられている。
【００１５】
タンクユニット３３には、三方弁１１及び四方弁１８が内蔵されている。三方弁１１は、湯水が流入するａポート及びｂポートと、湯水が流出するｃポートとを有する流路切替手段である。四方弁１８は、湯水が流入するｂポート及びｃポートと、湯水が流出するａポート及びｄポートとを有する流路切替手段である。四方弁１８は、４つの経路、すなわちａ−ｂ、ａ−ｃ、ｂ−ｄ、ｃ−ｄの間で流路切替可能に構成されている。タンクユニット３３は、水導出口配管１０、第一バイパス配管１６、第二バイパス配管１７、温水導入配管２０ａ、及び温水導出配管２０ｂをさらに内蔵する。水導出口配管１０は、貯湯タンク８の下部に設けられた水導出口８ｂと三方弁１１のａポートとを接続する。ＨＰ往き配管１４は、三方弁１１のｃポートとＨＰユニット７の水入口とを接続する。ＨＰ戻り配管１５は、ＨＰユニット７の水出口と四方弁１８のｃポートとを接続する。送湯配管１３は、四方弁１８のｄポートと、貯湯タンク８の上部の温水導入出口８ｄとを接続する。第一バイパス配管１６は、四方弁１８のａポートと、貯湯タンク８の温水導入口８ｃとを接続する。温水導入口８ｃは、貯湯タンク８の下部から中間高さ位置までの間のいずれかの位置に設けられる。温水導入配管２０ａは、送湯配管１３の途中から分岐し、利用側熱交換器２０の１次側入口に接続される。温水導出配管２０ｂは、利用側熱交換器２０の１次側出口と三方弁１１のｂポートとを接続する。第二バイパス配管１７は、ＨＰ往き配管１４における水ポンプ１２とＨＰユニット７の水入口との間から分岐し、四方弁１８のｂポートに接続される。
【００１６】
タンクユニット３３は、第一給水配管９ａ、第二給水配管９ｂ、給湯用混合弁２２、ふろ用混合弁２３、第一給湯配管２４、及び第二給湯配管２５をさらに内蔵する。第一給水配管９ａの一端は、水道等の水源に接続される。第一給水配管９ａの他端は、減圧弁３１を介して第二給水配管９ｂ及び第三給水配管９ｃに接続される。第一給水配管９ａ、第二給水配管９ｂ、及び第三給水配管９ｃにより給水管路９が構成される。第二給水配管９ｂの下流側は、二つに分岐して給湯用混合弁２２及びふろ用混合弁２３にそれぞれ接続される。給湯配管２１の下流側は、二つに分岐して給湯用混合弁２２及びふろ用混合弁２３にそれぞれ接続される。第一給湯配管２４は、給湯用混合弁２２と給湯栓３４とを接続する。第一給湯配管２４の途中には、第一給湯配管２４を通る湯の流量を検知する給湯流量センサ４６が設けられている。第二給湯配管２５は、ふろ用混合弁２３と、ふろ循環回路（ふろ往き配管２７）とを接続する。第二給湯配管２５の途中には、第二給湯配管２５を開閉するふろ用電磁弁２６と、第二給湯配管２５を通る湯の流量を検知するふろ用流量センサ４７とが設けられている。
【００１７】
給湯用混合弁２２は、給湯配管２１から供給される高温湯と、第二給水配管９ｂから供給される低温水との流量比を調整することで、使用者がリモコン装置４４にて設定した設定温度の湯を生成し、第一給湯配管２４に流入させる。ふろ用混合弁２３は、給湯配管２１から供給される高温湯と、第二給水配管９ｂから供給される低温水との流量比を調整することで、使用者がリモコン装置４４にて設定した設定温度の湯を生成し、第二給湯配管２５に流入させる。給湯用混合弁２２で温度調整された湯は、第一給湯配管２４から給湯流量センサ４６及び給湯栓３４を経由して、使用者が使用するシャワー、カラン等の蛇口（図示省略）へ供給される。浴槽３０の湯はり時には、ふろ用電磁弁２６が開かれ、ふろ用混合弁２３で温度調整された湯が、第二給湯配管２５からふろ用電磁弁２６、ふろ用流量センサ４７、ふろ往き配管２７、ふろ戻り配管２８を経て浴槽３０に供給される。
【００１８】
三方弁１１は、水導出口配管１０とＨＰ往き配管１４とが連通する形態と、温水導出配管２０ｂとＨＰ往き配管１４とが連通する形態との２つの流路形態に切り替え可能である。四方弁１８は、ＨＰ戻り配管１５と送湯配管１３とが連通する形態、ＨＰ戻り配管１５と第一バイパス配管１６とが連通する形態、第一バイパス配管１６と第二バイパス配管１７とが連通する形態、及び、送湯配管１３と第二バイパス配管１７とが連通する形態、の４つの流路形態に切り替え可能である。
【００１９】
次に、本実施の形態１の貯湯式給湯機３５が行う蓄熱運転について説明する。蓄熱運転では、制御部３６は、ＨＰユニット７及び水ポンプ１２を稼動させる。三方弁１１は、水導出口配管１０とＨＰ往き配管１４とが連通する形態（ａ−ｃ経路）とされる。四方弁１８は、ＨＰ戻り配管１５と送湯配管１３とが連通する形態（ｃ−ｄ経路）とされる。水ポンプ１２が稼動することで、貯湯タンク８内の下部の水が、水導出口８ｂ、水導出口配管１０、三方弁１１、ＨＰ往き配管１４を経由し、ＨＰユニット７の水冷媒熱交換器３へ送られる。水冷媒熱交換器３を通過する間に加熱されて高温になった湯は、ＨＰ戻り配管１５、四方弁１８、送湯配管１３、温水導入出口８ｄを通り、貯湯タンク８内の上部に流入する。このような蓄熱運転により、貯湯タンク８内に上から下に向かって湯が貯えられることで、貯湯タンク８内に熱が蓄積される。
【００２０】
次に、本実施の形態１の貯湯式給湯機３５が行う湯はりについて説明する。湯はりは、使用者がリモコン装置４４を操作することで開始される。湯はりの開始時は、制御部３６は、所定量（例えば１０Ｌ）の設定温度の湯を、第二給湯配管２５からふろ往き配管２７及びふろ戻り配管２８を通して、浴槽３０へ供給するプライミング動作を行う。このプライミング動作は、ふろ循環回路内の空気を浴槽３０へ排出し、ふろ循環ポンプ２９のエア噛みを防止するために行う。プライミング動作の後、ふろ循環ポンプ２９を運転し、浴槽水をふろ循環回路に循環させる。湯はり開始前に浴槽３０に浴槽水が残っている場合には、このときにふろ循環回路に浴槽水の循環が発生するので、水流検知手段４５が水流を検知する。水流検知手段４５が水流有を検知した場合には、制御部３６は、浴槽３０に浴槽水が残っていると判断し、ふろ循環ポンプ２９を停止し、湯はりを中止する。これに対し、水流検知手段４５が水流無を検知した場合には、制御部３６は、浴槽３０に浴槽水が残っていないと判断し、ふろ循環ポンプ２９を停止し、残りの設定湯量を浴槽３０へ供給する。制御部３６は、設定湯量を浴槽３０へ供給した後、再度ふろ循環ポンプ２９を運転する。このとき、水流検知手段４５が水流有を検知した場合には、湯はりで浴槽３０に溜まった湯（浴槽水）がふろ循環回路に循環していると推定できるので、浴槽栓の閉め忘れがない（すなわち浴槽栓が閉である）と推定できる。これに対し、水流検知手段４５が水流無を検知した場合には、湯はりで供給された湯が浴槽３０に溜まっていないと推定できるので、浴槽栓の閉め忘れがある（すなわち浴槽栓が開である）と推定できる。以上のようにして、制御部３６は、湯はり時の浴槽栓の開閉状態を判定する機能を有する。制御部３６は、湯はり時に浴槽栓が開であると判定した場合には、浴槽栓が閉まっていない旨をリモコン装置４４の表示部に表示したりリモコン装置４４のスピーカから音声を発するなどの手段で使用者に報知することが望ましい。
【００２１】
図２は、湯はり時に浴槽栓の閉め忘れがない（すなわち浴槽栓が閉である）場合の使用湯量及び蓄熱運転開始湯量の時間的な変化を模式的に示すグラフである。蓄熱運転開始湯量とは、制御部３６が蓄熱運転を開始する閾値となる貯湯タンク８内の残湯量である。制御部３６は、貯湯温度センサ４２，４３で検知される貯湯タンク８内の残湯量が蓄熱運転開始湯量以下になった場合に、蓄熱運転を開始する。
【００２２】
制御部３６は、給湯流量センサ４６及びふろ用流量センサ４７で検知される流量に基づいて、使用湯量を算出できる。制御部３６は、貯湯タンク８内の残湯量の減少を貯湯温度センサ４２，４３で検知することで、使用湯量を算出しても良い。制御部３６は、過去の一定期間（例えば過去２週間）において、湯はり等のまとまった使用湯量（以下、「集中湯量」と称する）を学習する機能を有する。制御部３６は、当日の集中湯量の使用が終了するまでは、蓄熱運転開始湯量として第一の開始湯量を設定する。第一の開始湯量は、学習した過去の集中湯量のうちの最大の集中湯量に備えた蓄熱運転開始湯量である。制御部３６は、当日の集中湯量の使用が終了した後は、蓄熱運転開始湯量として第二の開始湯量を設定する。第二の開始湯量は、第一の開始湯量より小さい値である。このように制御することで、当日の集中湯量に対して湯切れを確実に抑制しつつ、集中湯量の使用が終了した後は、貯湯タンク８の蓄熱量を低くできるので、必要以上の蓄熱運転の実施を抑制でき、省エネルギー性を向上できる。
【００２３】
図３は、湯はり時に浴槽栓の閉め忘れがあり（すなわち浴槽栓が開であり）、その直後に湯はりが再び行われた場合の使用湯量及び蓄熱運転開始湯量の時間的な変化を模式的に示すグラフである。図３に示すように、浴槽栓の閉め忘れにより湯はりが２回連続して実施された場合、学習された過去の集中湯量より大きい集中湯量が発生することで、貯湯タンク８の湯切れが生ずる可能性がある。そこで、本実施の形態１では、制御部３６は、湯はり時に浴槽栓が開であると判定した場合には、当日の第一の開始湯量を、学習値から設定される第一の開始湯量より大きい値に増やすことで、当日にＨＰユニット７が蓄熱運転で生成する熱量を増加させる。これにより、浴槽栓の閉め忘れにより湯はりが２回連続して実施されたときでも、貯湯タンク８の湯切れを確実に抑制できる。この場合、制御部３６は、学習値から設定される第一の開始湯量に比べて湯はり一回分に相当する湯量だけ多い値を当日の第一の開始湯量に設定することが望ましい。
【００２４】
浴槽栓の閉め忘れは、稀な事象である。使用者は、湯はり時に浴槽栓を閉め忘れた場合、翌日以降は浴槽栓を閉め忘れないように十分注意すると考えられる。そのため、湯はり時の浴槽栓の閉め忘れが短期間のうちに繰り返される可能性は極めて低いと考えられる。浴槽栓の閉め忘れにより湯はりが２回連続して実施されたときの過大な集中湯量を制御部３６が学習し、その過大な集中湯量に基づいて翌日以降の第一の開始湯量を設定したとすると、貯湯タンク８の蓄熱量が必要以上に多く確保されることとなる。すなわち、湯はり１回分に相当する熱量が貯湯タンク８内に余計に確保されることとなるので、省エネルギー性が低下する。そこで、本実施の形態１では、制御部３６は、湯はり時に浴槽栓が開であると判定した場合には、使用湯量の学習において当該湯はりを実質的に無効にする。例えば、制御部３６は、以下の（１）から（３）のいずれかの制御を行う。
（１）制御部３６は、湯はり時に浴槽栓が開であると判定した場合には、当日の集中湯量を学習値に含めないようにする。
（２）制御部３６は、湯はり時に浴槽栓が開であると判定した場合には、当日の集中湯量から湯はり一回分に相当する湯量を減じた量を学習値とする。
（３）制御部３６は、湯はり時に浴槽栓が開であると判定した場合には、翌日以降の第一の開始湯量を設定する際に、過去の集中湯量のうち最大の集中湯量（すなわち、浴槽栓の閉め忘れにより湯はりが２回連続して実施されたときの集中湯量）から湯はり一回分に相当する湯量を減じた量に基づいて第一の開始湯量を設定する。
上記（１）から（３）のいずれかの制御を行うことで、浴槽栓が開であると判定された湯はりを、使用湯量の学習において実質的に無効にできる。その結果、翌日以降に貯湯タンク８の蓄熱量が必要以上に多く確保されることを抑制できるので、省エネルギー性の低下を抑制できる。
【００２５】
図４は、本実施の形態１の貯湯式給湯機３５において湯はりを行うときに制御部３６が実行する制御動作を示すフローチャートである。図４のステップＳ１で、湯はりを指示する操作を使用者がリモコン装置４４にて行うことで、制御部３６が湯はりを開始する。図４では記載を省略しているが、湯はり開始後、制御部３６は、前述したプライミング動作を行い、ふろ循環ポンプ２９を運転して水流検知手段４５にて水流の有無を検知し、浴槽３０に浴槽水が残っているかどうかを判断する。制御部３６は、浴槽３０に浴槽水が残っていないと判断した場合には、ステップＳ２へ移行する。制御部３６は、ステップＳ２で残りの設定湯量を浴槽３０へ供給し、ステップＳ３へ移行する。
【００２６】
制御部３６は、ステップＳ３で、ふろ循環ポンプ２９を運転し、水流検知手段４５で水流の有無を検知する。ステップＳ３で水流検知手段４５が水流有を検知した場合には、浴槽３０に湯（浴槽水）が溜まっていると考えられるので、浴槽栓が閉である（浴槽栓の閉め忘れはない）と考えられる。この場合には、制御部３６はステップＳ４に移行する。制御部３６は、ステップＳ４で浴槽栓が閉である（浴槽栓の閉め忘れはない）と判定した後、ステップＳ８へ移行し、湯はりを終了する。
【００２７】
一方、ステップＳ３で水流検知手段４５が水流無を検知した場合には、浴槽３０に湯（浴槽水）が溜まっていないと考えられるので、浴槽栓が開である（浴槽栓の閉め忘れがある）と考えられる。この場合には、制御部３６はステップＳ５に移行する。制御部３６は、ステップＳ５で浴槽栓が開である（浴槽栓の閉め忘れがある）と判定した後、ステップＳ６へ移行する。ステップＳ６で、制御部３６は、前述したようにして、当日の第一の開始湯量を、学習値から設定される第一の開始湯量より大きい値に増やす。次いで、制御部３６は、ステップＳ７へ移行する。ステップＳ７で、制御部３６は、前述したようにして、浴槽栓が開であると判定された湯はりを、使用湯量の学習において無効にする。その後、ステップＳ８へ移行し、湯はりを終了する。
【００２８】
本実施の形態１によれば、湯はり時に浴槽栓が開であると判定した場合には、使用湯量の学習において当該湯はりを無効にすることで、翌日以降に貯湯タンク８の蓄熱量が必要以上に多く確保されることを抑制できるので、省エネルギー性の低下を抑制できる。また、湯はり時に浴槽栓が開であると判定した場合には、当日の第一の開始湯量を、学習値から設定される第一の開始湯量より大きい値に増やすことで、当日に蓄熱運転でＨＰユニット７が生成する熱量を増加させる。これにより、浴槽栓の閉め忘れにより湯はりが２回連続して実施された場合の湯切れの発生を抑制できる。
【００２９】
制御部３６は、湯はり時に浴槽栓が開であると判定した場合に、当日の第一の開始湯量を、学習値から設定される第一の開始湯量より大きい値に増やすことに代えて、蓄熱運転を直ちに開始し、湯はり一回分に相当する熱量をＨＰユニット７で生成して貯湯タンク８に追加した後、蓄熱運転を停止してもよい。このような制御によっても、浴槽栓の閉め忘れにより湯はりが２回連続して実施された場合の湯切れの発生を抑制できる。
【００３０】
制御部３６は、湯はり時に浴槽栓が開であると判定した場合に、蓄熱運転を追加的に実施することを使用者に報知しても良い。この報知手段としては、例えば、浴槽栓抜けによる追加の蓄熱運転を実施している旨（例えば「浴槽栓抜けを検知しました。湯切れ防止のために追加蓄熱運転を行っています。」）をリモコン装置４４の表示部に表示しても良いし、リモコン装置４４のスピーカから音声で報知しても良い。このようにすることで、追加の蓄熱運転の実施が正常な動作であることを使用者に理解させることができ、使用者の誤解を抑制できる。
【００３１】
実施の形態２．
次に、図５を参照して、本発明の実施の形態２について説明するが、上述した実施の形態１との相違点を中心に説明し、同一部分または相当部分は同一符号を付し説明を省略する。
【００３２】
本実施の形態２の貯湯式給湯機３５の装置構成は実施の形態１と同様であるので、図示及び説明を省略する。図５は、本実施の形態２の貯湯式給湯機３５において湯はりを行うときに制御部３６が実行する制御動作を示すフローチャートである。図５のステップＳ１からステップＳ４までは実施の形態１と同様であるので、説明を省略する。制御部３６は、ステップＳ４で浴槽栓が閉である（浴槽栓の閉め忘れはない）と判定した場合には、ステップＳ１０へ移行し、湯はりを終了する。
【００３３】
ステップＳ３で水流検知手段４５が水流無を検知した場合には、浴槽３０に湯（浴槽水）が溜まっていない可能性があるので、浴槽栓が開である（浴槽栓の閉め忘れがある）可能性がある。この場合には、制御部３６はステップＳ９に移行する。ステップＳ９で、制御部３６は、浴槽栓が開である（浴槽栓の閉め忘れがある）ことを仮判定する。その後、ステップＳ１０へ移行し、湯はりを終了する。
【００３４】
制御部３６は、ステップＳ１０からステップＳ１１へ移行する。浴槽栓が開である（浴槽栓の閉め忘れがある）ことをステップＳ９で仮判定した場合には、制御部３６は、ステップＳ１１で、その仮判定後の経過時間が閾値（例えば６０分）に達したかどうかを判断する。ステップＳ１１で仮判定後の経過時間が閾値に達していない場合には、制御部３６は、ステップＳ１３へ移行する。ステップＳ１３で、制御部３６は、湯はりが開始されたかどうか、すなわち湯はりの指示がリモコン装置４４に入力されたかどうかを判断する。ステップＳ１３で湯はりが開始されていない場合には、制御部３６は、ステップＳ１１に戻る。
【００３５】
湯はりが開始されないまま、ステップＳ１１で仮判定後の経過時間が閾値に達した場合には、制御部３６は、ステップＳ１２へ移行する。ステップＳ１２で、制御部３６は、浴槽栓が開である（浴槽栓の閉め忘れがある）との仮判定（ステップＳ９）を解除する。
【００３６】
これに対し、ステップＳ１１で仮判定後の経過時間が閾値に達する前に、ステップＳ１３で湯はりが開始された場合には、制御部３６はステップＳ１４に移行し、実施の形態１で説明したプライミング動作を行う。続いて、制御部３６は、ステップＳ１５へ移行し、ふろ循環ポンプ２９を運転して水流検知手段４５にて水流の有無を検知する。ステップＳ１５で水流有を検知した場合には、制御部３６は、ステップＳ１６へ移行する。ステップＳ１６で制御部３６は、今回の湯はりの開始前に浴槽３０に湯（浴槽水）が溜まっていると判定する。ステップＳ１６で制御部３６は、前回の湯はり時に浴槽栓が開である（浴槽栓の閉め忘れがある）との仮判定（ステップＳ９）を解除しても良い。
【００３７】
一方、ステップＳ１５で水流無を検知した場合には、今回の湯はりの開始前に浴槽３０に湯（浴槽水）が溜まっていないと考えられるので、前回の湯はり時に浴槽栓が開である（浴槽栓の閉め忘れがある）との仮判定は正しいと考えられる。この場合には、制御部３６は、ステップＳ１７へ移行する。ステップＳ１７で制御部３６は、前回の湯はり時に浴槽栓が開である（浴槽栓の閉め忘れがある）との判定を確定する。その後、ステップＳ１８へ移行する。ステップＳ１８で、制御部３６は、当日の第一の開始湯量を、学習値から設定される第一の開始湯量より大きい値に増やす。次いで、制御部３６は、ステップＳ１９へ移行する。ステップＳ１９で、制御部３６は、浴槽栓が開であると判定された前回の湯はりを、使用湯量の学習において無効にする。
【００３８】
以上のように、本実施の形態２では、湯はり時に浴槽栓が開であることをステップＳ９で仮判定した後、湯はりが再び開始された後に、前回の湯はり時に浴槽栓が開であるとの判定を確定するようにしている。ふろ循環回路に異物の詰まりなどがある場合、浴槽３０に湯（浴槽水）が溜まっていても、ステップＳ３で水流検知手段４５が水流無を検知する場合がある。このため、ステップＳ３で水流検知手段４５が水流無を検知した場合に直ちに浴槽栓が開であると判定すると、誤判定になる可能性がある。本実施の形態２によれば、そのような誤判定を確実に抑制でき、湯はり時の浴槽栓の開閉状態をより高精度に判定できる。また、湯はり時に浴槽栓が開であった（浴槽栓の閉め忘れがあった）場合でも、２回目の湯はりを実施しないことも考えられる。そのような場合には、第一の開始湯量を増やす必要はない。本実施の形態２によれば、２回目の湯はりが開始された後に、前回の湯はり時に浴槽栓が開であるとの判定を確定することで、第一の開始湯量を不必要に増やすことを防止できる。よって、２回目の湯はりを実施しない場合に不必要な蓄熱運転を抑制でき、省エネルギー性をさらに向上できる。
【００３９】
以上、本発明の貯湯式給湯機の実施の形態について説明したが、本発明は上述した実施の形態に限定されるものではない。述した実施の形態では、学習した過去の集中湯量のうちの最大の集中湯量に備えた第一の開始湯量を設定するものとしたが、学習した過去の集中湯量の平均値に備えた第一の開始湯量を設定するようにしても良い。また、本発明は、過去の一定期間の日毎の総使用湯量を学習し、その最大値または平均値に相当する熱量を夜間の蓄熱運転で貯湯タンクに蓄熱するように制御する貯湯式給湯機にも適用可能である。
【符号の説明】
【００４０】
１  圧縮機、３  水冷媒熱交換器、４  膨張弁、５  冷媒配管、６  空気熱交換器、７  ＨＰユニット、８  貯湯タンク、８ａ  水導入口、８ｂ  水導出口、８ｃ  温水導入口、８ｄ  温水導入出口、９  給水管路、９ａ  第一給水配管、９ｂ  第二給水配管、９ｃ  第三給水配管、１０  水導出口配管、１１  三方弁、１２  水ポンプ、１３  送湯配管、１４  ＨＰ往き配管、１５  ＨＰ戻り配管、１６  第一バイパス配管、１７  第二バイパス配管、１８  四方弁、２０  利用側熱交換器、２０ａ  温水導入配管、２０ｂ  温水導出配管、２１  給湯配管、２２  給湯用混合弁、２３  ふろ用混合弁、２４  第一給湯配管、２５  第二給湯配管、２６  用電磁弁、２７  ふろ往き配管、２８  ふろ戻り配管、２９  ふろ循環ポンプ、３０  浴槽、３１  減圧弁、３３  タンクユニット、３４  給湯栓、３５  貯湯式給湯機、３６  制御部、３７  ふろ往き温度センサ、３８  ふろ戻り温度センサ、４２，４３  貯湯温度センサ、４４  リモコン装置、４５  水流検知手段、４６  給湯流量センサ、４７  ふろ用流量センサ
【図１】
0006303845.tif 000002
【図２】
0006303845.tif 000003
【図３】
0006303845.tif 000004
【図４】
0006303845.tif 000005
【図５】
0006303845.tif 000006